(57)【特許請求の範囲】
【請求項１】
相手側コネクタに第１の方向で接続するコネクタ本体と、該コネクタ本体を外側から保持したカバーインシュレータと、前記相手側コネクタに接続した状態で、前記コネクタ本体が前記第１の方向とは逆向きの第２の方向へ離脱するのを阻止するよう前記相手側コネクタに係合してロック状態を維持するロックスプリング部材とを含むコネクタのロック装置において、
前記コネクタ本体の外側面と該外側面に対向している壁部と前記外側面との間で前記ロックスプリング部材を組み付けたロックスプリング収容部を有し、前記ロックスプリング部材は、前記外側面に対向する第１板部と、前記相手側コネクタに係合するよう該第１板部の前記第１の方向における前辺から前記第１の方向で前記カバーインシュレータの前端面上へ延びている係合部と、前記第１板部から前記壁部へ向かって延びている一対の第２板部と、前記係合部を前記相手側コネクタの前記相手係合部へ常時付勢し前記第１板部から前記外側面へ当接するよう前記第１板部から前記第１板部上へ延びているバネ部とを有し、前記第２板部の中間部分には、前記第２板部に挿通しかつ前記ロックスプリング部材を前記外側面及び前記壁部間で回動可能となすよう前記カバーインシュレータに支持した軸が設けられており、前記バネ部は、先端側で曲げられている自由端部を有し、該自由端部の少なくとも先端が前記第１板部に形成した窓部から前記第２板部間側へ入り込んでいることを特徴とするコネクタのロック装置。
【請求項２】
請求項１記載のコネクタのロック装置において、前記ロックスプリング収容部が、前記コネクタ本体における一対の前記外側面のそれぞれ位置しており、一対の前記ロックスプリング収容部のそれぞれに前記ロックスプリング部材が左右対称にそれぞれ収容されていることを特徴とするコネクタのロック装置。
【請求項３】
請求項１記載のコネクタのロック装置において、前記コネクタ本体の前記外側面の一部分には、前記バネ部の前記自由端部が入り込み係合する凹部が形成されており、前記コネクタ本体が前記カバーインシュレータ内で前記ロックスプリング部材によって保持されていることを特徴とするコネクタのロック装置。
【請求項４】
請求項１記載のコネクタのロック装置において、前記ロックスプリング部材を操作する操作部材を有し、該操作部材が、少なくとも一部分が前記ロックスプリング部材の前記第１及び第２板部によって囲まれた部分の内側と前記ロックスプリング収容部の外に位置しており、前記係合部を回動させるよう前記軸に回動可能に保持されていることを特徴とするコネクタのロック装置。
【請求項５】
請求項１記載のコネクタのロック装置において、前記コネクタ本体の少なくとも前記外側面には、導電性のシェルが設けられており、前記バネ部の一部分が前記シェルの外面に接していることを特徴とするコネクタのロック装置。
【発明の詳細な説明】
【０００１】
【発明の属する技術分野】
本発明は、電気・電子機器などに搭載される相手側コネクタとケーブルとを接続するコネクタに属し、特に、相手側コネクタと接続した際の抜け止めを防止するために用いるコネクタのロック装置に属する。
【０００２】
【従来の技術】
従来のコネクタのロック装置は、図６に示すように、コネクタ本体１１１と、コネクタ本体１１１を保持したカバーインシュレータ１１３と、コネクタ本体１１３が離脱するのを阻止するように、図示しない相手側コネクタの相手係合部に係合してロック状態を維持する一対のロックスプリング部材１１５，１１５とを備えている。
【０００３】
コネクタ本体１１１は、相手側コネクタの相手嵌合部に嵌合する嵌合部１１１ａを有している。コネクタ本体１１１には、嵌合部１１１ａとは反対側でケーブル１１４が接続されている。嵌合部１１１ａは、相手側コネクタに対して第１の方向Ｉ（嵌合方向）で接続するものである。ロックスプリング部材１１５，１１５は、コネクタ本体１１１を相手側コネクタに接続した状態で、コネクタ本体１１１が第１の方向Ｉとは逆向きの第２の方向ＩＩ（離脱方向）へ離脱するのを阻止するように、相手側コネクタの相手係合部に係合してロック状態を維持するものである。
【０００４】
カバーインシュレータ１１３は、コネクタ本体１１１の一対の外側面１１１ｂ，１１１ｃと、これらの外側面１１１ｂ，１１１ｃのそれぞれに対向している一対の壁部１１３ｂ，１１３ｃとを有している。外側面１１１ｂ，１１１ｃ及び壁部１１３ｂ，１１３ｃ間は、一対のロックスプリング収容部１１７ａ，１１７ｂとなっている。一対のロックスプリング収容部１１７ａ，１１７ｂは、壁部１１３ｂ，１１３ｃと、外側面１１１ｂ，１１１ｃの第１の方向Ｉにおける前端面１１３ｅ及び後端面１１３ｆ間を開口させたものである。一対のロックスプリング収容部１１７ａ，１１７ｂ間のそれぞれには、ロックスプリング部材１１５，１１５が一対一に組み付けられている。ここで、一対のロックスプリング収容部１１７ａ，１１７ｂには、一対のロックスプリング部材１１５，１１５が互いに向き合うかたちで左右対称に収納される。
【０００５】
図７乃至図９は、一方のロックスプリング部材１１５を示している。なお、もう一方のロックスプリング部材１１５は、一方のロックスプリング部材１１５と同じ部品であるため以下の説明において同じ符号を付し、図６を参照して説明するものとする。
【０００６】
図７乃至図９をも参照して、ロックスプリング部材１１５，１１５は、長板形状に形成されている主板部１１５ａと、主板部１１５ａの長手方向の中間部分で板面が円弧形状に折り曲げられている中空の一対の回転軸１１５ｂと、回転軸１１５ｂよりも後方に延長された主板部１１５ａの先端から前方に折り返されて主板部１１５ａに対向している折り返し部１１５ｃとを有している。
【０００７】
回転軸１１５ｂよりも前方の主板部１１５ａの先端には、小さな曲率でロックスプリング収容部１１７ａ，１１７ｂと対向する側に円弧形状に折り返されている係止部１１５ｄが形成されている。
【０００８】
折り返し部１１５ｃは、カバーインシュレータ１１３の壁部１１３ｂ，１１３ｃへ当接している。係止部１１５ｄは、ロックスプリング収容部１１７ａ，１１７ｂの外でカバーインシュレータ１１３の前端面１１３ｅ上へ延びている。
【０００９】
図９に示すように、ロックスプリング部材１１５，１１５の一対の回転軸１１５ｂには、軸１１９ａ，１１９ｂが挿通されている。軸１１９ａ，１１９ｂは、軸方向の両端がそれぞれカバーインシュレータ１１３に支持されている。軸１１９ａ，１１９ｂは、ロックスプリング収容部１１７ａ，１１７ｂ内でロックスプリング部材１１５，１１５を回動可能となすようにカバーインシュレータ１１３に支持している。
【００１０】
主板部１１５ａの後部には、ロックカバー部材２０１が設けられている。ロックカバー部材２０１には、主板部１１５ａの後部を圧入することによって保持するカバー溝２０１ａと、このカバー溝２０１ａの一方側の壁部を切り欠かれている切り欠け部２０１ｂとが形成されている。切り欠け部２０１ｂには、主板部１１５ａの後部を圧入されるときに折り返し部１１５ｃの基部を逃がす逃げ部分となっている。
【００１１】
コネクタのロック装置では、ロックカバー部材２０１を、図６に示した矢印Ａ方向へ押圧すると、回転軸１１９ａ，１１９ｂを中心としてロックスプリング部材１１５の係止部１１５ｄが、図６に示す矢印Ｂ方向へ回動する。この状態において、ロックカバー部材２０１の押圧を解除すると、折り返し部１１５ｃのバネ復帰力によって、ロックカバー部材２０１が図６に示した矢印Ａ方向とは逆向きに、係止部１１５ｄが図６に示す矢印Ｂ方向とは逆向きに回動して元の位置へ戻る。
【００１２】
したがって、係止部１１５ｄは、相手側コネクタの相手係止部に係止してコネクタを相手側コネクタにロックしたり、このロック状態を解除することができる。
【００１３】
なお、従来技術の参考となる文献としては、実公平７−５３２６０号公報にロックスプリングを採用したコネクタが開示されている。
【００１４】
【発明が解決しようとする課題】
しかしながら、コネクタを組み立てる前の状態では、複数のロックスプリング部材１１５，１１５の折り返し部１１５ｃが互いに絡みあってしまい、組立前のバラの状態でロックスプリング部材１１５が互いに絡み合って変形しやすくなるという問題がある。
【００１５】
また、主板部１１５ａは、板厚寸法が薄い寸法の長板であることから、図８に示したように、板面を交叉する方向、即ち、図８に示す矢印Ｆ方向への撓んでしまうので、曲げに弱いという問題がある。
【００１６】
また、ロックスプリング部材１１５は、回転軸１１５ｂ，１１５ｂよりも後方へ主板部１１５ａを延長し、ロックスプリング収容部１１７ａ，１１７ｂの外で、ロックカバー部材２０１を保持するように構成しているので図６に示したＬ２の長さ寸法を、長い寸法に設定しなければならないという問題がある。
【００１７】
また、ロックカバー部材２０１を主板部１１５ａの後部へ圧入するためには、圧入作業および圧入治具が必要となる。
【００１８】
さらに、コネクタ本体の外面に導電性のシェルを設けてグランドを行うこともあるが、相手側コネクタの相手シェルと、コネクタ本体１１１に設けたシェルとを接触させるのみであり、外部からノイズに対してグランドを強化できないという問題がある。
【００１９】
それ故に本発明の課題は、簡単な構造であり、組立が容易なコネクタのロック装置を提供することにある。
【００２０】
また、本発明の他の課題は、組み立て前に複数のロックスプリング部材が絡み合いを防止できるコネクタのロック装置を提供することにある。
【００２１】
また、本発明の他の課題は、ロックスプリング部材の撓みをなくすことができるコネクタのロック装置を提供することにある。
【００２２】
さらに、本発明の他の課題は、短い寸法で十分なバネ長さ寸法が得ることができるコネクタのロック装置を提供することにある。
【００２３】
さらにまた本発明の他の課題は、外部からのノイズに強く、電気特性を向上することができるコネクタのロック装置を提供することにある。
【００２４】
【課題を解決するための手段】
本発明によれば、相手側コネクタに第１の方向で接続するコネクタ本体と、該コネクタ本体を外側から保持したカバーインシュレータと、前記相手側コネクタに接続した状態で、前記コネクタ本体が前記第１の方向とは逆向きの第２の方向へ離脱するのを阻止するよう前記相手側コネクタに係合してロック状態を維持するロックスプリング部材とを含むコネクタのロック装置において、
前記コネクタ本体の外側面と該外側面に対向している壁部と前記外側面との間で前記ロックスプリング部材を組み付けたロックスプリング収容部を有し、前記ロックスプリング部材は、前記外側面に対向する第１板部と、前記相手側コネクタに係合するよう該第１板部の前記第１の方向における前辺から前記第１の方向で前記カバーインシュレータの前端面上へ延びている係合部と、前記第１板部から前記壁部へ向かって延びている一対の第２板部と、前記係合部を前記相手側コネクタの前記相手係合部へ常時付勢し前記第１板部から前記外側面へ当接するよう前記第１板部から前記第１板部上へ延びているバネ部とを有し、前記第２板部の中間部分には、前記第２板部に挿通しかつ前記ロックスプリング部材を前記外側面及び前記壁部間で回動可能となすよう前記カバーインシュレータに支持した軸が設けられており、前記バネ部は、先端側で曲げられている自由端部を有し、該自由端部の少なくとも先端が前記第１板部に形成した窓部から前記第２板部間側へ入り込んでいることを特徴とするコネクタのロック装置が得られる。
【００２５】
【作用】
本発明のコネクタのロック装置では、操作部材を押圧すると、軸を中心としてロックスプリング部材の係合部が回動する。この状態において、バネ部がコネクタ本体の外側面を強いバネ力によって押圧しているので、操作部材の押圧を解除すると、バネ部のバネ復帰力によって、操作部材及び係合部が回動して元の位置へ戻る。
【００２６】
係合部は、相手側コネクタの相手係合部に係合してコネクタ本体を相手側コネクタにロックする。
【００２７】
なお、自由端部の先端を、窓部内へ入り込ませるように構成すると、組み立て前に複数のロックスプリング部材のバネ部が絡み合うことがなくなる。さらに、第１板部は、窓部が第１板部によって囲まれた部分で構成されているので、ロックスプリング部材同士の絡まりが防止される。さらに、第１板部は第２板部によって板面を交叉する方向への撓みを防ぐ。
【００２８】
【発明の実施の形態】
以下、本発明に係るコネクタのロック装置における一実施の形態例を説明する。図１は、一実施の形態例におけるコネクタのロック装置を示している。
【００２９】
図１を参照して、コネクタのロック装置は、コネクタ本体１１と、コネクタ本体１１を保持したカバーインシュレータ１３と、コネクタ本体１１が離脱するのを阻止するように相手側コネクタ２１の相手係合部２１ｂに係合してロック状態を維持する一対のロックスプリング部材１５，１５とを備えている。
【００３０】
コネクタ本体１１は、相手側コネクタ２１の相手嵌合部２１ａに嵌合する嵌合部１１ａを有している。
【００３１】
コネクタ本体１１には、図示しない導電性のコンタクトの複数が組み込まれている。嵌合部１１ａには、相手側嵌合部２１ａに設けられている相手コンタクト（図示せず）に一対一に接触するコンタクトの接触部が設けられている。嵌合部１１ａとは反対側には、コンタクトに接続するケーブル１４が設けられている。
【００３２】
この実施の形態例におけるコネクタの嵌合部１１ａは、相手側コネクタ２１に対して第１の方向Ｉ（嵌合方向）で接続するものである。ロックスプリング部材１５，１５は、コネクタ本体１１を相手側コネクタ２１に接続した状態で、コネクタ本体１１が第１の方向Ｉとは逆向きの第２の方向ＩＩ（離脱方向）へ離脱するのを阻止するように、相手側コネクタ２１に設けられている鍵形形状を呈する一対の相手係合部２１ｂに係合してロック状態を維持するものである。
【００３３】
第１及び第２の方向Ｉ，ＩＩに沿って形成されているコネクタ本体１１の一対の外側面１１ｂ，１１ｃと、外側面１１ｂ，１１ｃのそれぞれに対向している一対の壁部１３ｂ，１３ｃの間には、一対のロックスプリング収容部１７ａ，１７ｂが形成されている。一対のロックスプリング収容部１７ａ，１７ｂの第１の方向Ｉにおける前端面１３ｅ及び後端面１３ｆ間は開口している。外側面１１ｂ，１１ｃと壁部１３ｂ，１３ｃとの間には、ロックスプリング部材１５，１５が組み付けられている。ここで、一対のロックスプリング収容部１７ａ，１７ｂには、一対のロックスプリング部材１５，１５が互いに向き合うかたちで左右対称に収納される。
【００３４】
図２乃至図４は、一方のロックスプリング部材１５を示している。なお、もう一方のロックスプリング部材１５は、一方のロックスプリング部材１５と同じ部品であるため以下の説明において同じ符号を付し、図１をも参照して説明するものとする。
【００３５】
ロックスプリング部材１５，１５は、長板形状の第１板部１５ａと、第１板部１５ａの第１の方向Ｉにおける前辺からカバーインシュレータ１３の前端面１３ｅ上へ延びている係合部１５ｂと、第１板部１５ａの面に対して直角にかつ対向するように曲げられて延びている一対の第２板部１５ｃ，１５ｄと、第１板部１５ａに一端の基部が接続されて第１板部１５ａ上へ延びているバネ部１５ｆとを有している。
【００３６】
一方のロックスプリング部材１５の第２板部１５ｃ，１５ｄは、第１及び第２の方向Ｉ，ＩＩに対して直角な方向の一対の側辺からカバーインシュレータ１３の一方の壁部１３ｂに向かって延びている。他方のロックスプリング部材１５の第２板部１５ｃ，１５ｄは、第１及び第２の方向Ｉ，ＩＩに対して直角な方向の一対の側辺からカバーインシュレータ１３の他方の壁部１３ｃに向かって延びている。
【００３７】
ロックスプリング部材１５，１５のそれぞれにおいて、一対の第２板部１５ｃ，１５ｄの長手方向の中間部分には、軸孔１９ｇ，１９ｈが形成されている。これらの軸孔１９ｇ，１９ｈには、ピン形状の軸１９ａ，１９ｂが挿通されている。軸１９ａ，１９ｂは、軸方向の両端がそれぞれカバーインシュレータ１３に支持されている。
【００３８】
第１板部１５ａは、コネクタ本体１１の外側面１１ｂ，１１ｃに対向するように位置している。係合部１５ｂは、相手側コネクタ２１に係合するようにカバーインシュレータ１３の前端面１３ｅ上へ延びている。係合部１５ｂの先端部分は、嵌合部１１ａの側面側へ少し曲げられている係合曲部１５ｊを有している。係合曲部１５ｊは、相手側コネクタ２１の相手係合部２１ｂに係合するものである。
【００３９】
一対の第２板部１５ｃ，１５ｄは、第１及び第２の方向Ｉ，ＩＩに平行な第１板部１５ａの一対の側辺からカバーインシュレータ１３の壁部１３ｂ，１３ｃへ向かって延びている。軸１９ａ，１９ｂは、第１板部１５ａをロックスプリング収容部１７ａ，１７ｂ内で回動可能となすようにカバーインシュレータ１３に支持している。バネ部１５ｆは、係合部１５ｂを相手側コネクタ２１の相手係合部２１ａへ常時付勢するように第１板部１５ａ上へ延びている。
【００４０】
第１バネ部１５ｆの先端部分は、第１板部１５ａ側へ曲げられている自由端部１５ｍを有している。自由端部１５ｍの先端は、第１板部１５ａに形成した窓部１５ｋから第２板部１５ｃ，１５ｄ間側へ入り込んでいる。
【００４１】
このように、自由端部１５ｍの先端を窓部１５ｋ内へ入り込ませることによって、組み立て前に複数のロックスプリング部材１５，１５のバネ部１５ｆが絡み合いを防止している。
【００４２】
さらに、第１板部１５ａは、窓部１５ｋが第１板部によって囲まれた部分で構成されている。よって、ロックスプリング部材１５，１５同士の絡まりが防止される。さらに、第１板部１５ａは一対の第２板部１５ｃ，１５ｄによって板面を交叉する方向、即ち図３に示す矢印Ｆ方向への撓みを防ぐ。
【００４３】
さらに、ロックスプリング部材１５，１５は、軸１９ａ，１９ｂよりも前方から後方へバネ部１５ｆを延長している。よって、バネ部１５ｆは、ロックスプリング収容部１７ａ，１７ｂ内で、第１板部１５ａの範囲内に位置しており、充分なバネ長さ寸法になすことができる。したがって、図１に示したロックスプリング部材１５，１５の全長Ｌ１の長さ寸法は、従来のもの（図６示したロックスプリング部材１１５の全長Ｌ２）よりも短い寸法となることは理解できるであろう。
【００４４】
ロックスプリング部材１５，１５の一対の第２板部１５ｃ，１５ｄの端辺には、軸孔１９ｇ側から係合部１５ｂ側へ傾斜している傾斜部１５ｘが形成されている。傾斜部１５ｘは、ロックスプリング部材１５，１５がロックスプリング収容部１７ａ，１７ｂ内で回動する際に、軸１９ａ，１９ｂを中心として回動するときのカバーインシュレータ１３の壁部１３ｂ，１３ｃへ向かって逃げる逃げ部分となる。
【００４５】
ロックスプリング部材１５，１５には、図４に示したように、ロックスプリング部材１５，１５を軸１９ａ，１９ｂを中心として回動操作する操作部材３１が設けられている。操作部材３１は、樹脂材料によって作られており、押圧時に第１板部１５ａに当る押圧部３１ａと、この押圧部３１ａの長手方向の一端に接続されている操作部３１ｂとを有している。
【００４６】
押圧部３１ａは、ロックスプリング部材１５，１５の第１板部１５ａ及び第２板部１５ｃ，１５ｄによって囲まれた部分の内側に納められている。押圧部３１ａは、軸１９ａ，１９ｂを挿通しており，かつバネ部１５ｆの自由端部１５ｍに接して係合部１５ｂを回動させるようにロックスプリング部材１５，１５に回動可能に保持されている。
【００４７】
操作部材３１の押圧部３１ａには、軸１９ａ，１９ｂを挿通させる軸孔３１ｃが形成されている。また、押圧部３１ａには、バネ部１５ｆにおける自由端部１５ｍの先端が入り込む逃げ溝３１ｍが形成されている。操作部材３１の操作部３１ｂは、ロックスプリング収容部１７ａ，１７ｂの後端面１３ｆから外へ突出している。
【００４８】
操作部３１ｂは、コネクタ本体１１とケーブル１４との接続部分を保持しているカバーインシュレータ１３の接続基部１３ｐの外側面に所定間隔をもって対向している。また、コネクタ本体１１の嵌合部１１ａとの接続部分は、カバーインシュレータ１３の保持壁部１３ｒによって保持している。よって、コネクタ本体１１の外側面１１ｂ，１１ｃは、接続基部１３ｐと保持壁部１３ｒとの間で露出した部分となっている。
【００４９】
コネクタ本体１１の外側面１１ｂ，１１ｃには、ノイズによる影響を少なくしグランドを強化するために導電性のシェル３３が設けられている。このシェル３３には、バネ部１５ｆの自由端部１５ｍが接している。シェル３３は嵌合部１１ａをも覆う筒形状であって、相手側コネクタ２１の相手嵌合部２１ａを覆う相手シェル（図示せず）に嵌合時に接触する。相手係合部２１ｂと相手シェルとは互いに接続されている。
【００５０】
したがって、シェル３３に接触させたロックスプリング部材１５，１５は、係合部１５ｂの係合曲部１５ｊが相手側コネクタ２１の相手係合部２１ｂに接続することによって、グランド接続が可能となる。
【００５１】
この実施の形態例におけるコネクタのロック装置では、操作部材３１を、カバーインシュレータ１３の接続基部１３ｐの外側面へ図１に示した矢印Ａ方向に押圧すると、軸１９ａ，１９ｂを中心としてロックスプリング部材１５，１５の係合部１５ｂが図１に示す矢印Ｂ方向へ回動する。
【００５２】
この状態において、バネ部１５ｆがコネクタ本体１１の外側面１１ｂ，１１ｃを強いバネ力によって押圧しているので、操作部材３１の押圧を解除すると、バネ部１５ｆのバネ復帰力によって回動して元の位置へ戻る。即ち、操作部材３１は、図１に示した矢印Ａ方向とは逆向きに、係合部１５ｂは図１に示す矢印Ｂ方向とは逆向きに回動して元の位置へ戻る。
【００５３】
したがって、係合曲部１５ｊは、嵌合時に相手側コネクタ２１の相手係合部２１ｂに係合してコネクタ本体１１を相手側コネクタ２１にロックする。
【００５４】
図５は、図１に示したコネクタのロック構造において、一部を変形した変形例を示している。図５に示したコネクタ本体１１の外側面１１ｂ，１１ｃの一部分には、バネ部１５ｆの自由端部１５ｍの先端部分が入り込み係合する凹部１１ｇが形成されており、コネクタ本体１１がカバーインシュレータ１３内でロックスプリング部材１５，１５によって保持されている。このように構成すると、コネクタ本体１１をバネ部１５ｆによって保持することができる。
【００５５】
【発明の効果】
以上説明したように、本発明に係るコネクタのロック装置によれば、係合部を除くロックスプリング部材をロックスプリング収容部内に配置でき、操作部材を軸によってロックスプリング収容部内で軸支することから、簡単な構成で容易に組み立てが可能なコネクタのロック装置を提供することができる。
【００５６】
また、本発明に係るコネクタのロック装置によれば、第１バネ部の自由端部の先端を第１板部の窓部内へ入り込ませることによって組み立て前に複数のロックスプリング部材のバネ部が絡み合い変形するのを防止できる。
【００５７】
また、第１板部は、窓部が第１板部によって囲まれた部分で構成されているので、ロックスプリング部材同士の絡まりを防止できる。
【００５８】
また、第１板部は一対の第２板部によって補強された形態となるので、撓みをなくすことができ、曲げに強い構造となる。
【００５９】
また、ロックスプリング部材は、軸よりも前方からバネ部を延長しているので、ロックスプリング部材の全長が短い寸法であっても十分なバネ長さ寸法が得ることができる。したがって、ロックスプリング部材の長さ寸法は、従来のものよりも短い寸法にできる。
【００６０】
また、コネクタ本体の外面にシェルを設けた場合には、バネ部の自由端部を直接シェルに当接できるのでグランドを強化でき、ノイズ防止に優れ、電気特性を向上することができるコネクタのロック装置が得られる。
【００６１】
さらに、操作部材は、軸を第２板部の軸孔へ挿通すればよく、圧入作業および圧入治具などが不要となる。
【００６２】
さらにまた、コネクタ本体の外側面の一部分には、バネ部の自由端部の先端部分が入り込み係合する凹部が形成されており、コネクタ本体がカバーインシュレータ内でロックスプリング部材によって保持されているので、コネクタ本体をバネ部によっても保持することができる。
【図面の簡単な説明】
【図１】本発明に係るコネクタのロック装置を示す断面図である。
【図２】図１に示したロックスプリング部材の平面図である。
【図３】図２に示したロックスプリング部材の側面図である。
【図４】図１に示したコネクタのロック装置のロックスプリング部材、軸及び操作部材を分解して示した斜視図である。
【図５】本発明に係るコネクタのロック装置の変形例を示す断面図である。
【図６】従来のコネクタのロック装置を示す断面図である。
【図７】図６に示したロックスプリング部材の平面図である。
【図８】図６に示したロックスプリング部材の側面図である。
【図９】図６に示したコネクタのロック装置のロックスプリング部材、軸及びロックカバー部材を分解して示した斜視図である。
【符号の説明】
１１，１１１    コネクタ本体
１１ａ，１１１ａ    嵌合部
１１ｂ，１１ｃ，１１１ｂ，１１１ｃ    外側面
１１ｇ    凹部
１３，１１３    カバーインシュレータ
１３ｂ，１３ｃ，１１３ｂ，１１３ｃ    壁部
１５，１１５    ロックスプリング部材
１５ａ    第１板部
１５ｂ    係合部
１５ｃ，１５ｄ    第２板部
１５ｆ    バネ部
１９ｇ，１９ｈ，３１ｃ    軸孔
１５ｊ    係合曲部
１５ｋ    窓部
１５ｍ    自由端部
１７ａ，１７ｂ，１１７ａ，１１７ｂ    ロックスプリング収容部
１９ａ，１９ｂ    軸
２１    相手側コネクタ
２１ｂ    相手係合部
３１    操作部材
３３    シェル
１１５ａ    主板部
１１５ｂ    回転軸
１１５ｃ    折り返し部
１１９ａ，１１９ｂ    軸
２０１    ロックカバー部材
【図１】
0003546384.tif 000002
【図２】
0003546384.tif 000003
【図３】
0003546384.tif 000004
【図４】
0003546384.tif 000005
【図５】
0003546384.tif 000006
【図６】
0003546384.tif 000007
【図７】
0003546384.tif 000008
【図８】
0003546384.tif 000009
【図９】
0003546384.tif 000010